(57)【要約】【課題】複数本の導電線同士を容易に導通接続させることができるとともに、また、再利用可能に取り外してその導通接続を容易に解消することのできる電線接続構造を実現することにより、例えば、主電線に複数本の電線を適宜導通接続して分岐させる一方、その主電線を切断などすることなく、再利用可能にその分岐接続を解消することのできる電線接続装置を提供すること。【解決手段】引下電線１０７と引込電線１０８の導電線１０７ａ、１０８ａを導通接続する電線接続装置１０であって、ボルト１２のネジ部に開口する開口部内に差し込んだ導電線毎にそのボルトに螺合するナット１６、１７により直接圧接接続させて引下電線と引込電線を導通接続させる。【選択図】図１
2009009749.tif 000002
【特許請求の範囲】
【請求項１】
雄ネジ部材と雌ネジ部材を螺合させて相対回転させることにより線径が同一または異なる複数本の導電線を電気的に導通接続する電線接続装置であって、
雄ネジ部材のネジ山の刻設されているネジ部の外周面に導電線を差込可能な開口部が形成される一方、該雄ネジ部材のネジ部に螺合可能な雌ネジ部材が複数準備されており、
雄ネジ部材の開口部に差し込まれた導電線を雌ネジ部材が該導電線毎に該雄ネジ部材の開口部の内面または別個の雌ネジ部材に圧接させて当該雄ネジ部材または雌ネジ部材の一方あるいは双方を介して導通接続させることを特徴とする電線接続装置。
【請求項２】
前記雄ネジ部材の開口部は、複数本の導電線を一緒に差込可能に雌ネジ部材の移動方向に延在する開口形状に形成されていることを特徴とする請求項１に記載の電線接続装置。
【請求項３】
前記雄ネジ部材の開口部は、複数本の導電線を別々に差込可能に雌ネジ部材の移動方向の複数箇所に開口されていることを特徴とする請求項１に記載の電線接続装置。
【請求項４】
前記雄ネジ部材の開口部は、当該雄ネジ部材の端部側端面に開口していることを特徴とする請求項１から３のいずれかに記載の電線接続装置。
【請求項５】
前記雄ネジ部材の開口部は、雌ネジ部材の移動方向に窪む凹形状の内面を有することを特徴とする請求項１から４のいずれかに記載の電線接続装置。
【請求項６】
前記雄ネジ部材と雌ネジ部材の１組または２組以上の収容空間を絶縁材料よりなるケース部材の端辺同士を接離させることにより開閉するケースを備えており、
ケース部材の端辺には、雄ネジ部材と雌ネジ部材により導通接続する電線に圧接して保持する保持手段が設けられていることを特徴とする請求項１から５のいずれかに記載の電線接続装置。
【請求項７】
前記保持手段として、ケース部材の端辺の一方または双方に、互いに接離する方向に延長されてケース部材の端辺間の空間を概略閉止するヒダ状部材、あるいは、互いに圧接して弾性変形する弾性部材が配設されていることを特徴とする請求項６に記載の電線接続装置。
【発明の詳細な説明】
【技術分野】
【０００１】
本発明は、電線接続装置に関し、詳しくは、複数本の導電線同士を容易に導通接続させ、また、その導通接続を容易に解消するとともに再利用することのできるものに関する。
【背景技術】
【０００２】
従来、電線同士を接続する場合には、被覆を剥いだ導電線に圧縮スリーブを被せて圧着結合させることにより電気的に導通接続することが行われており、例えば、既設の電線に別個の電線を導通接続して分岐させる場合には、既設電線の分岐箇所の被覆を剥ぐと共に分岐電線の先端部の被覆を剥いでその導電線同士を断面Ｏ形状の圧縮スリーブ（圧縮端子）内で一緒に圧着結合させることにより導通接続させている（例えば、特許文献１参照）。
【０００３】
また、他の接続構造としては、既設電線と分岐電線の導電線をそれぞれ収装可能に断面８字形状に形成されている圧縮端子も提案されており、この圧縮端子では、既設電線と分岐電線の導電線を断面８字形状のそれぞれ異なる収装穴内に収装させて別個に圧着結合させることにより導通接続させている（例えば、特許文献２参照）。
【０００４】
さらに、主電線に分岐電線を複数本接続して分岐させる場合、例えば、図９に示すように、電柱１０１の変圧器１０３の低圧側に接続した引下電線１０７に各家庭などに電気を配電する引込電線を分岐接続する場合には、図１０および図１１に示すように、複数の端子Ｔ１〜Ｔ５を内装する分岐ボックス１１０をその電柱１０１の腕金１０５に取り付けて、その端子Ｔ５に引下電線１０７をネジ止めして導通接続すると共に端子Ｔ１〜Ｔ４に引込電線をネジ止めして導通接続させることにより、引下電線１０７に引込電線を分岐接続することができる（例えば、特許文献３参照）。なお、図１０や図１１中における１０６は電柱１０１の腕金１０５に分岐ボックス１１０を取り付ける取付金具であり、また、１１２はその引込分岐ボックス１１０内の端子Ｔ１〜Ｔ５を露出させてネジ止め作業を行う際に開閉するカバーである。
【特許文献１】特開平９−２８４９７１号公報
【特許文献２】特開２０００−８５４１４号公報
【特許文献３】特開２００６−１００００１号公報（図８〜図１０）
【発明の開示】
【発明が解決しようとする課題】
【０００５】
しかしながら、このような従来の電線接続装置にあっては、主電線に複数本の電線を分岐させる場合には、文献３に記載の分岐ボックス１１０を用いればよいが、例えば、電気の配電先の増加に伴って、分岐する引込電線の接続数がその分岐ボックス１１０内に準備されている端子Ｔを超える場合には、主電線の引下電線１０７を別途準備すると共に分岐ボックス１１０自体を増設しなければならない。
【０００６】
また、この分岐ボックス１１０は、全ての種別の電線を端子Ｔに接続可能に準備されておらず、そのような場合には、文献１や文献２に記載の圧縮端子を用いて引下電線１０７に引込電線を導通接続させるしかない。このような圧縮端子は、専用工具が必要であり、作業が煩雑であるとともに、一旦結合させてしまうと外すことができないために、再利用することができず、また、不要になった場合には、引下電線１０７を切断したり、交換しなければならない。
【０００７】
そこで、本発明は、複数本の導電線同士を容易に導通接続させることができるとともに、また、再利用可能に取り外してその導通接続を容易に解消することのできる電線接続構造を実現することにより、例えば、主電線に複数本の電線を適宜導通接続して分岐させる一方、その主電線を切断などすることなく、再利用可能にその分岐接続を解消することのできる電線接続装置を提供することを目的とする。
【課題を解決するための手段】
【０００８】
上記課題を解決する電線接続装置の第１の発明は、雄ネジ部材と雌ネジ部材を螺合させて相対回転させることにより線径が同一または異なる複数本の導電線を電気的に導通接続する電線接続装置であって、雄ネジ部材のネジ山の刻設されているネジ部の外周面に導電線を差込可能な開口部が形成される一方、該雄ネジ部材のネジ部に螺合可能な雌ネジ部材が複数準備されており、雄ネジ部材の開口部に差し込まれた導電線を雌ネジ部材が該導電線毎に該雄ネジ部材の開口部の内面または別個の雌ネジ部材に圧接させて当該雄ネジ部材または雌ネジ部材の一方あるいは双方を介して導通接続させることを特徴とするものである。
【０００９】
この発明では、被覆電線あるいは裸電線の複数本の導電線を雄ネジ部材のネジ部の開口部内に差し込んで、その雄ネジ部材のネジ部に螺合する複数の雌ネジ部材を導電線毎に圧接させることにより、その雄ネジ部材の開口部の内面や雌ネジ部材に導電線を圧接させてその雄ネジ部材や雌ネジ部材を介して導通接続させることができる。したがって、開口部内に導電線を差し込んで雄ネジ部材と雌ネジ部材を締め付ける方向に螺合回転させるだけで複数本の導電線を導通接続することができ、反対に、その雄ネジ部材と雌ネジ部材を緩める方向に螺合回転させるだけでその開口部内から導電線を離脱させて外すことができる。
【００１０】
上記課題を解決する電線接続装置の第２の発明は、上記第１の発明の特定事項に加え、前記雄ネジ部材の開口部は、複数本の導電線を一緒に差込可能に雌ネジ部材の移動方向に延在する開口形状に形成されていることを特徴とするものである。
【００１１】
この発明では、複数本の導電線をその線径による制限を少なく、雄ネジ部材のネジ部の開口部内に順次に差し込むことができ、その導電線のそれぞれの間に雌ネジ部材を位置させて雄ネジ部材の開口部の内面や別個の雌ネジ部材に圧接させて導通接続させることができる。したがって、導電線の太さに制限を少なく、その導電線を雄ネジ部材の開口部内に差し込んで導通接続させることができる。
【００１２】
上記課題を解決する電線接続装置の第３の発明は、上記第１の発明の特定事項に加え、前記雄ネジ部材の開口部は、複数本の導電線を別々に差込可能に雌ネジ部材の移動方向の複数箇所に開口されていることを特徴とするものである。
【００１３】
この発明では、複数本の導電線を雄ネジ部材のネジ部に開口する開口部毎に差し込みつつその導電線のそれぞれの間に雌ネジ部材を位置させて雄ネジ部材の開口部の内面に圧接させて導通接続させることができる。したがって、導電線を別個に雄ネジ部材の開口部内に差し込んで他の導電線の圧接状態による影響なく導通接続させることができる。
【００１４】
上記課題を解決する電線接続装置の第４の発明は、上記第１から第３のいずれかの発明の特定事項に加え、前記雄ネジ部材の開口部は、当該雄ネジ部材の端部側端面に開口していることを特徴とするものである。
【００１５】
この発明では、雄ネジ部材の一端側や他端側から開口部内に導電線を収装させることができ、この後に、その雄ネジ部材に雌ネジ部材を螺合させることができる。したがって、既設の導電線を切断することなく、雄ネジ部材の開口部内に差し込んだ状態にして導通接続させることができる。
【００１６】
上記課題を解決する電線接続装置の第５の発明は、上記第１から第４のいずれかの発明の特定事項に加え、前記雄ネジ部材の開口部は、雌ネジ部材の移動方向に窪む凹形状の内面を有することを特徴とするものである。
【００１７】
この発明では、雄ネジ部材の開口部内に差し込んだ導電線を雌ネジ部材によりその開口部の内面の凹形状に押し付けて圧接させることができる。したがって、線径に影響されることなく、導電線を安定した状態で雄ネジ部材の内面に圧接させて導通接続させることができる。
【００１８】
上記課題を解決する電線接続装置の第６の発明は、上記第１から第５のいずれかの発明の特定事項に加え、前記雄ネジ部材と雌ネジ部材の１組または２組以上の収容空間を絶縁材料よりなるケース部材の端辺同士を接離させることにより開閉するケースを備えており、ケース部材の端辺には、雄ネジ部材と雌ネジ部材により導通接続する電線に圧接して保持する保持手段が設けられていることを特徴とするものである。
【００１９】
この発明では、複数本の導電線毎に圧接させて導通接続させた雄ネジ部材と雌ネジ部材の１組または２組以上をケース内に収容するとともに、そのケース部材の端辺間にその複数本の導電線を圧接させて位置決め保持させることができる。したがって、導電線や雄ネジ部材と雌ネジ部材の導通部分をケース内に収容して絶縁性を確保することができるとともに、その雄ネジ部材と雌ネジ部材の近傍で導電線が揺動して応力集中により断線等を生じさせてしまうことを未然に防止することができる。
【００２０】
上記課題を解決する電線接続装置の第７の発明は、上記第６の発明の特定事項に加え、前記保持手段として、ケース部材の端辺の一方または双方に、互いに接離する方向に延長されてケース部材の端辺間の空間を概略閉止するヒダ状部材、あるいは、互いに圧接して弾性変形する弾性部材が配設されていることを特徴とするものである。
【００２１】
この発明では、ケース部材を開閉するだけで複数本の導電線をそれぞれヒダ状部材間に進入させて、あるいは、弾性変形する弾性部材間に圧接させて位置決め保持することができる。したがって、接続する導電線の本数を制限することなく、ケース内に導電線を位置決め保持しつつ収容して絶縁性を確保することができる。
【発明の効果】
【００２２】
このように本発明によれば、複数本の導電線を雄ネジ部材のネジ部の開口部内に差し込んでその雄ネジ部材に螺合する複数の雌ネジ部材により圧接させて導通接続させることができ、その雄ネジ部材と雌ネジ部材による締付を緩めるだけで導電線を外すことができる。したがって、複数本の導電線同士の導通接続とその解消を容易に行うことができ、その導電線を切断する必要はなく、また、その雄ネジ部材や雌ネジ部材も再利用することができる。また、複数組の雄ネジ部材と雌ネジ部材や、３本以上の導電線を導通接続可能に開口部を形成された雄ネジ部材と雌ネジ部材をケース内に収容することにより、１本の導電線に２本以上の導電線を分岐接続することもでき、電線分岐装置を構成することができる。
【発明を実施するための最良の形態】
【００２３】
以下、本発明の最良の実施形態を図面に基づいて説明する。図１〜図６は本発明に係る電線接続装置の第１実施形態を示す図である。
【００２４】
図１において、電線接続装置１０は、引下電線１０７や引込電線１０８の導電線１０７ａ、１０８ａに接続する各電線毎の接続部１１と、この接続部１１と共に接続した引下電線１０７や引込電線１０８を収容するケース２１と、を備えており、電気を配電する各家庭などの戸数に応じた数の引込電線１０８を、図９に示す電柱１０１の変圧器１０３の低圧側に接続する引下電線１０７に接続部１１を介して分岐接続してケース２１内に収容することによりその電柱１０１の腕金１０５に取り付けて支持させることができる。
【００２５】
接続部１１は、図２に示すように、ボルト（雄ネジ部材）１２に複数個のナット（雌ネジ部材）１６、１７を螺合させた状態に組み立てて使用するように設計されており、このボルト１２とナット１６、１７は導電性に優れる金属材料により作製されている。
【００２６】
ボルト１２は、ナット１６、１７を螺合させるネジ山の刻設されている外周面側のネジ部１２ａを、接続対象の引下電線１０７や引込電線１０８の導電線１０７ａ、１０８ａの線径よりも幅広に切り欠かれることにより、軸心を中心にする両側外周面間を貫通する開口部１３が形成されており、この開口部１３は、一端側端面でも外部に向かって開口して、その一端側から先端側に向かって（ナット１６、１７の螺合による移動方向に）延在する開口形状に形成されている。
【００２７】
このボルト１２は、先端側が開口部１３の貫通方向（軸心に対する直交方向）と平行になる屋根形状に形成されており、この開口部１３の先端側内面（屋根形状部１４の内面）１３ａが先端側に向かって窪む谷形状（凹形状）に形成されている。ここで、この開口部１３の先端側内面１３ａは、平面状の斜面を有する谷形状に限らずに、湾曲形状などに窪む凹形状に形成しても良いことは言うまでもない。
【００２８】
これにより、接続部１１は、図３に示すように、ボルト１２にナット１６を螺合させるとともに、そのナット１６とボルト１２の開口部１３の先端側内面１３ａとの間に、外被を剥いだ引込電線１０８の導電線１０８ａを差し込んで、さらに、そのナット１６をボルト１２に螺合回転させることにより、ナット１６の一面側とボルト１２の開口部１３の凹形状の先端側内面１３ａとの間で引込電線１０８の導電線１０８ａに安定した姿勢で圧接させることができ、確実に導通接続させることができる。
【００２９】
また、この接続部１１は、ボルト１２の同一の開口部１３内に一端側開口側から連続して外被を剥いだ引下電線１０７の導電線１０７ａを内装させて差し込んで引込電線１０８と並列させた状態にした後に、別個のナット１７をそのボルト１２に螺合させることにより、先に螺合させていたナット１６の他面側に引下電線１０７の導電線１０７ａを直接圧接させることができる。すなわち、ボルト１２は、一端側開口から導電線１０７ａなどを途中から（切断することなく）差し込んだ状態にすることができ、その開口部１３内に差し込んだ状態にする導電線１０７ａ、１０８ａの線径による接続制限を緩くして同一空間内で並列状態にして、ナット１６や他のナット１７とボルト１２とを介して導通接続することができる。
【００３０】
この引込電線１０８の導電線１０８ａをナット１６によりボルト１２の開口部１３の先端側内面１３ａに圧接させる締付作業は、引下電線１０７の導電線１０７ａをボルト１２の開口部１３内に差し込むなどした後に行っても良いが、作業スペースなどや不安定さからすると、本実施形態のように先に行った方が作業性に優れる。
【００３１】
よって、電線接続装置１０は、図４に示すように、引下電線１０７に接続する引込電線１０８の本数に応じて、その外被を剥いで接続部１１により適宜導通接続させることができる。
【００３２】
ケース２１は、図５に示すように、例えば、絶縁性を有する樹脂材料を２つ割り可能な概略直方体に成形することにより作製されており、その２つ割りしたケース部材２２の端辺２２ａ同士を突き合わせることにより、１本の引下電線１０７に複数本の引込電線１０８を接続する複数組のボルト１２とナット１６、１７（接続部１１）をその引下電線１０７や引込電線１０８と共に収容する空間を形成するように設計されている。
【００３３】
ケース部材２２は、内装する引下電線１０７や複数本の引込電線１０８の並列面の概略延長面で２つ割り可能に形成されており、その長尺な一辺側には、その端辺２２ａ同士を薄肉に連結して開閉可能にするヒンジ部２３が成形されている。
【００３４】
このケース部材２２は、図６に示すように、ヒンジ部２３以外の三辺側には、その端辺２２ａの一方側から他方側に向かって延長されているヒダ状部材２４が並列するように一体成形されており、このヒダ状部材２４の間に引下電線１０７や引込電線１０８を進入させて挟み込ませることにより保持可能に作製されている。ここで、本実施形態では、ケース部材２２の端辺２２ａにヒダ状部材２４を並列させて引下電線１０７や引込電線１０８を位置決め保持する構造を採用するが、これに限るものではなく、例えば、その端辺２２ａに弾性変形するゴム材料（弾性部材）を連設して引下電線１０７や引込電線１０８をその間に挟み込んでその弾性力により保持させるようにしてもよい。
【００３５】
また、このケース部材２２は、端辺２２ａの一方側から延長されている延長片２５の端部の係合穴２５ａに、その端辺２２ａの他方側に立設されている係合突起２６を引っ掛けることにより、その端辺２２ａ同士を突き合わせてボルト１２とナット１６、１７（接続部１１）を引下電線１０７や引込電線１０８と共に内部に収容する状態で閉止することができるようになっている。
【００３６】
したがって、電線接続装置１０は、引下電線１０７に複数本の引込電線１０８を複数の接続部１１により適宜導通接続させた後に、ケース２１を被せてそのケース部材２２の端辺２２ａ同士を付き合わせるように閉じることにより、その引下電線１０７や引込電線１０８をヒダ状部材２４間に進入させて位置決め保持する状態にすることができる。この後に、例えば、その引下電線１０７やケース２１を腕金１０５にバインド線などにより巻き付けて固定することにより、引下電線１０７や引込電線１０８が接続部１１の近傍で揺動して応力集中による断線等を発生させてしまうことなく、電柱１０１の変圧器１０３の低圧側からの引下電線１０７に複数本の引込電線１０８を導通接続させる作業を完了することができる。
【００３７】
そして、その引込電線１０８を増設する必要がある場合には、引込電線１０８の容量が許す限り、同一の引下電線１０７の外被を剥いで接続部１１により引込電線１０８を適宜導通接続することができ、ケース２１内が接続部１１で一杯になった場合には、別のケース２１を準備して同様に取り付けることができる。
【００３８】
一方、引下電線１０７に導通接続した引込電線１０８が不要になった場合には、その接続部１１のボルト１２に螺合させているナット１６、１７を逆方向に回転させて外し外被を剥いだ箇所に絶縁処理を施すだけで容易に回収作業を完了することができ、その接続部１１も再利用することができる。
【００３９】
このように本実施形態においては、引下電線１０７や引込電線１０８の導電線１０７ａ、１０８ａ毎に接続部１１のボルト１２とナット１６、１７により締め付けて直接圧接させるだけで導通接続させることができ、また、その締め付けを緩めるだけで導電線１０７ａ、１０８ａから接続部１１を外すことができる。したがって、引下電線１０７に複数本の引込電線１０８を容易に導通接続させる電線分岐装置として利用することができ、その導通接続の解消も容易に行うことができるとともに、その導通接続の解消時には電線を切断する必要はなく、また、そのボルト１２とナット１６、１７も再利用することができる。
【００４０】
次に、図７および図８は本発明に係る電線接続装置の第２実施形態を示す図である。ここで、本実施形態は上述第１実施形態と略同様に構成されているので、同様な構成には同一の符号を付して特徴部分を説明する。
【００４１】
図７において、電線接続装置１０の接続部１１は、ボルト（雄ネジ部材）３２に複数個のナット（雌ネジ部材）３６１〜３６ｎ（ｎは自然数）を螺合させた状態に組み立てて使用するように設計されており、このボルト３２とナット３６１〜３６ｎは導電性に優れる金属材料により作製されている。
【００４２】
ボルト３２は、ナット３６１〜３６ｎを螺合させるネジ山の刻設されている外周面側のネジ部３２ａ内の複数箇所に差込穴３３と複数の差込穴３４が形成されており、この差込穴３３、３４は、接続対象の引下電線１０７や引込電線１０８の導電線１０７ａ、１０８ａの線径よりも大きめに穿孔されて軸心を中心にする両側外周面間に貫通している。このうちの差込穴３３は、上述実施形態の開口部１３と同様に引下電線１０７の導電線１０７ａよりも幅広に形成されて一端側端面でも外部に向かって開口するように切り欠かれており、他の差込穴３４は、引込電線１０８の導電線１０８ａよりも大径に穿孔形成されている。
【００４３】
このボルト３２は、差込穴３３の一端側端面の開口の反対側に位置する底面３３ａが谷形状（凹形状）に形成されており、差込穴３４は円形に開口して底面側に位置する内面３４ａも円弧形状（凹形状）に湾曲している。
【００４４】
これにより、接続部１１は、図８に示すように、ボルト３２に差込穴３４分（接続対象の引込電線１０８の接続本数分でもよい）のナット３６２〜３６ｎをその差込穴３４を塞がないように螺合させるとともに、そのボルト３２の差込穴３４内に外被を剥いだ引込電線１０８の導電線１０８ａを差し込んで、さらに、螺合しているナット３６２〜３６ｎを対応する導電線１０８ａに接近する方向に螺合回転させることにより、それぞれのナット３６２〜３６ｎの一面側とボルト３２の差込穴３４の凹形状の内面３４ａとの間で引込電線１０８の導電線１０８ａに安定した姿勢で圧接させることができ、確実に導通接続させることができる。
【００４５】
また、この接続部１１は、同一のボルト１２の別個の差込穴３３内に一端側開口側から外被を剥いだ引下電線１０７の導電線１０７ａを内装させて差し込んで、引込電線１０８と並列させた状態にした後に、別個のナット３６１をそのボルト３２に螺合させることにより、そのナット３６１とボルト３２の差込穴３３の底面３３ａとの間に引下電線１０７の導電線１０７ａを挟み込んで、そのナット３６１の一面側とボルト３２の差込穴３３の凹形状の底面３３ａとの間で引下電線１０７の導電線１０７ａに安定した姿勢で圧接させることができ、確実に導通接続させることができる。
【００４６】
これにより、接続部１１は、ボルト３２の差込穴３３では引下電線１０７の導電線１０７ａを導通接続させるとともに、複数箇所の差込穴３４では別個の引込電線１０８の導電線１０８ａをそれぞれ導通接続させることができ、引下電線１０７の１箇所に複数本の引込電線１０８を分岐接続させることができる。
【００４７】
したがって、電線接続装置１０は、引下電線１０７に接続する引込電線１０８を増設する必要がある場合には、螺合済みあるいは適宜追加するナット３６ｎにより空いている差込穴３４に引込電線１０８の導電線１０８ａを差し込んで圧接接続するだけで引下電線１０７に分岐接続することができ、別のケース２１を増設することなく、適宜対応することもできる。
【００４８】
このように本実施形態においては、上述第１実施形態による作用効果に加えて、より容易に引下電線１０７に分岐接続する引込電線１０８を増設することができる。
【００４９】
ここで、本実施形態の他の態様としては、本実施形態では、ストレートのボルト３２に差込穴３３、３４を一列に穿孔・開口させる場合を一例に説明するが、これに限るものではなく、屈折するボルトを利用してもよく、例えば、差込穴３３、３４の間で屈曲するボルトにするとともに、差込穴３３、３４の開口方向を任意に設定して、コンパクトな構造にしたり、引込電線１０８の延長方向を調整可能にすることもできる。さらに、差込穴３３を差込穴３４の間に配設して、引下電線１０７の両側に引込電線１０８を位置させるようにしても良い。
【産業上の利用可能性】
【００５０】
これまで本発明の一実施形態について説明したが、本発明は上述の実施形態に限定されず、その技術的思想の範囲内において種々異なる形態にて実施されてよいことは言うまでもない。
【図面の簡単な説明】
【００５１】
【図１】本発明に係る電線接続装置の第１実施形態を示す図であり、その概略全体構成を示す透視立面図である。
【図２】その接続部の構成を示す図であり、（ａ）はその開口部側からの側面図、（ｂ）はそのネジ部側からの側面図、（ｃ）はその一端側端面の開口部側からの底面図である。
【図３】その接続部の電線との接続状態を示すその電線の延長方向から見た立面図である。
【図４】その接続部の電線との接続状態を示すその電線の直交方向から見た立面図である。
【図５】そのケースの構成を示す図であり、（ａ）はその閉じた状態を示す立面図、（ｂ）はその内部を開放した状態を示す立面図である。
【図６】そのケースの要部構成を示す一部拡大底面図である。
【図７】本発明に係る電線接続装置の第２実施形態を示す図であり、その差込穴の開口側からの側面図である。
【図８】その接続部の電線との接続状態を示すその電線の延長方向から見た立面図である。
【図９】本発明の適用箇所を説明する立面図である。
【図１０】従来技術を示す図であり、（ａ）はその正面図、（ｂ）はその一部切欠側面図である。
【図１１】その内装部品を示す図であり、（ａ）はその正面図、（ｂ）はその側面図である。
【符号の説明】
【００５２】
１０……電線接続装置    １１……接続部    １２、３２……ボルト    １２ａ、３２ａ……ネジ部    １３……開口部    １３ａ……先端側内面    １４……屋根形状部    １６、１７、３６１〜３６ｎ……ナット    ２１……ケース    ２２……ケース部材    ２２ａ……端辺    ２３……ヒンジ部    ２４……ヒダ状部材    ２５……延長片    ２５ａ……係合穴    ２６……係合突起    ３３、３４……差込穴    ３３ａ……底面    ３４ａ……内面    １０５……腕金    １０７……引下電線    １０７ａ、１０８ａ……導電線    １０８……引込電線
【図１】
2009009749.tif 000003
【図２】
2009009749.tif 000004
【図３】
2009009749.tif 000005
【図４】
2009009749.tif 000006
【図５】
2009009749.tif 000007
【図６】
2009009749.tif 000008
【図７】
2009009749.tif 000009
【図８】
2009009749.tif 000010
【図９】
2009009749.tif 000011
【図１０】
2009009749.tif 000012
【図１１】
2009009749.tif 000013